(57)【要約】【技術課題】  ロック機構付ガス栓において、押しボタン方式及びキーロック方式に共用できるガス栓本体及びこのガス栓本体を用いたガス栓を提供する。【解決手段】  ガス栓本体１の栓組込口３の上縁５には１８０°の範囲で上段半径縁６を形成し、前記上段半径縁６に対向する前記栓組込口３の上縁５には、前記上段半径縁６の内径と同一半径で、前記上段半径縁６の外径より小径の外径から成り、且つ、上段半径縁６の高さより一段低い高さの下段半径縁７を形成しする。ハンドル１０側には、上記ガス栓本体１に対応する押しボタンロック又はキーロック方式から成るロック部材を取り付ける。【選択図】        図１
2005048870.tif 000002
【特許請求の範囲】
【請求項１】
ガス栓本体の栓組込口の上縁には、１８０°の範囲で上段半径縁を形成したこと、前記上段半径縁に対向する前記栓組込口の上縁には、前記上段半径縁の内径と同一半径で、前記上段半径縁の外径より小径の外径から成り、且つ、上段半径縁の高さより一段低い高さの下段半径縁を形成したこと、前記上段半径縁と下段半径縁の境界部には、夫々ロック溝を形成したこと、を特徴とするロック機構付ガス栓。
【請求項２】
ガス栓本体の栓組込口の上縁には、１８０°の範囲で上段半径縁を形成したこと、前記上段半径縁に対向する前記栓組込口の上縁には、前記上段半径縁の内径と同一半径で、前記上段半径縁の外径より小径の外径から成り、且つ、上段半径縁の高さより一段低い高さの下段半径縁を形成したこと、前記上段半径縁と下段半径縁の境界部には、夫々ロック溝を形成したこと、
前記ガス栓本体の栓組込口に取り付けられるハンドル側であって、前記栓組込口に対向する回転胴部には、ハンドルの把手の下に入口が露出していて、この入口から回転胴体部の中心方向に向けて水平にロック部材組込穴を形成すると共にこのロック部材組込穴の奥の内壁にねじ孔を形成し、更にロック部材組込穴の奥であって、前記ガス栓本体側の栓組込穴の下半には、ガス栓本体側の上縁と下段半径縁が入り込むことができる開口部を下半に形成したこと、
前記ハンドルのロック部材組込穴内に組み込まれるロック部材は、先端に前記ねじ孔に螺合自在の雄ねじ部を形成すると共にこの雄ねじ部の後方には、前記雄ねじ部より小径に設定された小径部を形成し、更にこの小径部の後方には前記雄ねじ部の外径と同一外径の大径筒部を形成すると共に、この大径筒部の中心には、後方からビスねじ挿入孔を形成し、更に前記小径部から雄ねじ部の中心を突き抜けるように、ビスねじの軸部が通る小径孔を形成して成るロックピンと、このロックピンのビスねじ挿入孔内にビスねじを挿入したときに、その頭部がビスねじ挿入孔内にあり、軸部が前記小径孔を通ってロックピンの先端から突出し、この突出した軸部の先端に前記ハンドル側のねじ孔に螺合するねじ部を有するロック用ビスねじと、前記ロック部材組込穴にロックピンを組み込んだ時に、このロックピンの雄ねじ部の先端とロック部材組込穴の奥面との間に組み込まれ、ロックピンに半径方向の押し出し力を賦勢するコイルばねとで構成されていることを特徴とするロック機構付ガス栓。
【請求項３】
ガス栓本体の栓組込口の上縁には、１８０°の範囲で上段半径縁を形成したこと、前記上段半径縁に対向する前記栓組込口の上縁には、前記上段半径縁の内径と同一半径で、前記上段半径縁の外径より小径の外径から成り、且つ、上段半径縁の高さより一段低い高さの下段半径縁を形成したこと、前記上段半径縁と下段半径縁の境界部には、夫々ロック溝を形成したこと、
前記ガス栓本体の栓組込口に取り付けられるハンドル側であって、前記栓組込口に対向する回転胴部には、ハンドルの把手の下に入口が露出していて、この入口から回転胴体部の中心方向に向けて水平にロック部材組込穴を形成すると共にこのロック部材組込穴の奥の壁面にねじ孔を形成し、更にロック部材組込穴の中間部分には内径ねじを形成し、この内径ねじとロック部材組込穴の入口間には前記内径ねじの谷よりも大径のスライド径を形成し、更に、前記ガス栓本体側の栓組込口の上縁と下段半径縁が入り込むことができる開口部を下半に形成したこと、
前記ハンドルのロック部材組込穴内に組み込まれるロック部材は、前記内径ねじに螺合自在の外径ねじを胴体部に形成し、この胴体部の中心には、後方からビスねじ挿入孔を形成し、更に、このビスねじ挿入孔の先端には、ビスねじの軸部が通る小径孔を形成して成るロックピンと、このロックピンのビスねじ挿入孔内にビスねじを挿入したときに、その頭部がビスねじ挿入孔内にあり、軸部が前記小径孔を通ってロックピンの先端から突出し、この突出した軸部の先端に前記ハンドル側のねじ孔に螺合するねじ部を有するロック用ビスねじとで構成されていることを特徴とするロック機構付ガス栓。
【請求項４】
請求項２、３に記載のロックピンの後端面には、専用工具係合部が形成されていることを特徴とするロック機構付ガス栓。
【請求項５】
請求項１〜３の何れか１項に該当するロック部材組込穴の入口部分には、塗膜切り隙間が形成されていることを特徴とするロック機構付ガス栓。
【発明の詳細な説明】
【技術分野】
【０００１】
本願発明は、ハンドルを開の位置から左又は右方向に９０°回転して栓を開閉するときに、このハンドルの回転を許容することができると共に一旦閉位置まで回転したときにはロックされてそのままではハンドルは開方向に回転することができず、更に、長期間ガスを使用しないときには、ハンドルを閉の状態でロックしてしまい、専用工具を使用しない限りこのロックを解除することができないロック機構付ガス栓に関する。
【背景技術】
【０００２】
ガス栓であって、元栓と称されるものの場合、その多くは屋外のガスメータの入側配管に取り付けて用いられることから、悪戯、あるいは物がハンドルに当って不用意に閉じたり、閉じているものが開いたりする心配があり、その多くにはロック機構が組み込まれている。
このロック機構としては、本件出願人が出願中であるところの次のガス栓が公知である。
【特許文献１】特開平１１−２７０７４１号公報  この公知に係るガス栓は、ロック機構をストッパーねじとストッパーリングの２点部品となし、これをハンドルのストッパーねじ組込孔内に組み込む。又、ガス栓本体の栓組込口には上段半径縁と下段半径縁を形成すると共に上段半径縁の外径面の半径を下段半径縁の外径面の半径よりも小さく形成する。ストッパーねじは、ストッパーねじ組込孔内において、小径部を下段半径縁上に位置させてハンドルを開閉自在となし、全閉状態でストッパーねじの封印用大径ねじを封印用ねじにねじ込んだときにストッパーねじの封印用大径ねじの下半がロック溝内に入り、封印ロックされる構成である。
【特許文献２】特開平１１−２７０７４０号公報  この公知に係るガス栓は、ガス栓本体の栓組込口には上段半径縁とこの上段半径縁の内径より内径が大きい下段半径縁を形成すると共にこの境界にロック溝を形成し、ロックピンを少し押し込んで小径段部を下段半径縁に合わせたときにハンドルを開閉でき、ハンドルを回転してロックピンがロック溝の位置に来たときロックピンが押し出され、その先端側大径部の下半がロック溝に収まり、閉栓ロックされるように構成する。ガス栓を封印ロックする場合には、ロックピンの封印用ネジをロックピン組込孔内の封印用ネジ孔にねじ込むことによりロックピンの後端側大径部の下半がロック溝内に収まり、ハンドルが封印ロックされる構成である。
【発明の開示】
【発明が解決しようとする課題】
【０００３】
上記した、特許文献１、２において共通する問題点は、ガス栓本体の栓組込口に形成された上段半径縁及び下段半径縁の構成が、押しボタンロック方式（特許文献１）とキーロック方式（特許文献２）とによって相違している点である。
例えば、押しボタンロック方式における下段半径縁の内径は、上記半径縁の内径よりも大きく加工してある。一方、キーロック方式における下段半径縁の内径と上段半径縁の内径は同一半径に加工してある。
【０００４】
このようなことから、ガス栓本体は、押しボタンロック方式のものとキーロック方式の２種類を用意する必要があり、この分ガス栓本体の加工コストの上昇を招いている。また、ガス栓本体が２種類となることで、部品管理が複雑になると云う問題が発生している。
【０００５】
本発明の課題は、上記問題点に鑑みて、押しボタンロック方式とキーロック方式に共用できる構成を持ったガス栓本体を提供することである。
更に、押しボタンロック方式とキーロック方式に共用できるガス栓本体に対応する押しボタンロック方式とキーロック方式から成るロック機構を提供することである。
【課題を解決するための手段】
【０００６】
本発明は、上記課題を解決する手段として、ガス栓本体を次のような構成とした。
ガス栓本体の栓組込口の上縁には、１８０°の範囲で上段半径縁を形成したこと、前記上段半径縁に対向する前記栓組込口の上縁には、前記上段半径縁の内径と同一半径で、前記上段半径縁の外径より小径の外径から成り、且つ、上段半径縁の高さより一段低い高さの下段半径縁を形成したこと、前記上段半径縁と下段半径縁の境界部には、夫々ロック溝を形成したこと、を特徴とするロック機構付ガス栓。
【０００７】
また、上記構成のガス栓本体に対応する押しボタン方式のハンドルとロック機構については、次のような構成とした。
ガス栓本体の栓組込口に取り付けられるハンドル側であって、前記栓組込口に対向する回転胴部には、ハンドルの把手の下に入口が露出していて、この入口から回転胴体部の中心方向に向けて水平にロック部材組込穴を形成すると共にこのロック部材組込穴の奥の内壁にねじ孔を形成し、更にロック部材組込穴の奥であって、前記ガス栓本体側の栓組込穴の下半には、ガス栓本体側の上縁と下段半径縁が入り込むことができる開口部を下半に形成したこと、
前記ハンドルのロック部材組込穴内に組み込まれるロック部材は、先端に前記ねじ孔に螺合自在の雄ねじ部を形成すると共にこの雄ねじ部の後方には、前記雄ねじ部より小径に設定された小径部を形成し、更にこの小径部の後方には前記雄ねじ部の外径と同一外径の大径筒部を形成すると共に、この大径筒部の中心には、後方からビスねじ挿入孔を形成し、更に前記小径部から雄ねじ部の中心を突き抜けるように、ビスねじの軸部が通る小径孔を形成して成るロックピンと、このロックピンのビスねじ挿入孔内にビスねじを挿入したときに、その頭部がビスねじ挿入孔内にあり、軸部が前記小径孔を通ってロックピンの先端から突出し、この突出した軸部の先端に前記ハンドル側のねじ孔に螺合するねじ部を有するロック用ビスねじと、前記ロック部材組込穴にロックピンを組み込んだ時に、このロックピンの雄ねじ部の先端とロック部材組込穴の奥面との間に組み込まれ、ロックピンに半径方向の押し出し力を賦勢するコイルばねとで構成されていることを特徴とするものである。
【０００８】
また上記構成のガス栓本体に対応するキーロック方式のハンドルとロック機構については、次のような構成とした。
ガス栓本体の栓組込口に取り付けられるハンドル側であって、前記栓組込口に対向する回転胴部には、ハンドルの把手の下に入口が露出していて、この入口から回転胴体部の中心方向に向けて水平にロック部材組込穴を形成すると共にこのロック部材組込穴の奥の壁面にねじ孔を形成し、更にロック部材組込穴の中間部分には、内径ねじを形成し、この内径ねじとロック部材組込穴の入口間は前記内径ねじの谷よりも大径のスライド径を形成し、更に、前記ガス栓本体側の栓組込口の上縁と下段半径縁が入り込むことができる開口部を下半に形成したこと、
前記ハンドルのロック部材組込穴内に組み込まれるロック部材は、前記内径ねじに螺合自在の外径ねじを胴体部に形成し、この胴体部の中心には、後方からビスねじ挿入孔を形成し、更に、このビスねじ挿入孔の先端には、ビスねじの軸部が通る小径孔を形成して成るロックピンと、このロックピンのビスねじ挿入孔内にビスねじを挿入したときに、その頭部がビスねじ挿入孔内にあり、軸部が前記小径孔を通ってロックピンの先端から突出し、この突出した軸部の先端に前記ハンドル側のねじ孔に螺合するねじ部を有するロック用ビスねじとで構成されていることを特徴とするものである。
また、上記したロック機構において、ロックピンの後端面には、専用工具を使用しない限りこのロックピンを回転して封印ロックを行ったり、封印ロックを解除できないようにするために、特別な係合手段を形成している。
【発明の効果】
【０００９】
本発明によれば、ガス栓本体側の構成が、押しボタンロック方式又はキーロック方式の何れにも対応できる構成となっているため、同一構成のガス栓本体を押しボタンロック方式とキーロック方式の双方に共用できる。この結果、ガス栓本体の製作コストの低減と、部品管理がしやすい、と云う効果を奏することができる。
【実施例１】
【００１０】
本実施例１は請求項１に記載したガス栓本体と、請求項２に記載した押しボタンロック方式のガス栓に関するものである。
図１は、押しボタンロック方式のガス栓の全開状態の縦断正面図、図２はハンドル側から見た一部切欠側面図、図３はハンドルを取り除いたガス栓本体の平面図、図４は図３の正面図、図５は図３の側面図、図６はハンドルの回転胴部に形成したロック部材組込穴の説明図、図７はロック部材の説明図、図８（Ａ）は閉栓ロック、（Ｂ）はロック解除、（Ｃ）は封印ロックの説明図である。
【００１１】
上記各図において、符号の１はガス栓本体であって、このガス栓本体１は、水平方向にガス流路２を形成し、このガス流路２に対して直角方向上向きに栓体組込口３を形成し、前記ガス流路２に栓体４を組み込んだ構成である。
５は前記栓体組込口３の上縁であって、この上縁５には、図３〜図５に示すように、上段半径縁６が形成され、この上段半径縁６の反対側には下段半径縁７が形成されていると共にこの下段半径縁７は、前記上段半径縁６より一段低く形成されていると共に、内径は上段半径縁６の内径と同一半径から成り、外径は上段半径縁６の外径より小さく形成されている。
【００１２】
９、９ａは前記上縁５上において、前記上段半径縁６と下段半径縁７間に形成された切り欠き状ロック溝である。
１０はハンドルであって、このハンドル１０の下面には、図１に示すように、回転胴体部１１と、この胴体部１１に円周溝１２が形成してあり、この円周溝１２にガス栓本体１側の栓本体組込口３内に形成したリブ３ａが係合することにより回転自在にガス栓本体１に組み付けられていると共に前記した栓体４とは、間にスプリング１３を装入し、回転子４ａを係合溝１２ａ内に係合させることで連結されている。１４は、図１及び図６に示すようにハンドル１０において、把手１０ａの下部であって、胴体部１１に形成されたロック部材組込穴であって、このロック部材組込穴１４は、胴体部１１の中心に向けて水平に形成され、一番奥にはねじ孔１５が形成され、穴の奥に近い位置には内径ねじ１６が形成されていると共に下段半径縁７に対向する部分には開口部１７が形成され、更に入口には少し大径に加工した塗膜切り隙間１８が形成された形状である。
【００１３】
２０はロックピンであって、このロックピン２０は、図１及び図７（Ａ）（Ｂ）に示すように、後端面に専用工具係合部２１を形成した大径筒部２２と、この大径筒部２２の前方に形成された小径部２３と、この小径部２３の前方には前記内径ねじ１６に螺合する雄ねじ部２４が形成され、内部には大径部２２から雄ねじ部２４の前方に突き抜けるビスねじ挿入孔２５が形成され、この挿入孔２５はビスねじの頭が通る大径孔２６と、ビスねじの軸部が通る小径孔２７が形成された形状である。
【００１４】
３０はビスねじであって、このビスねじ３０のねじ部３１は、ロック部材組込穴１４のねじ孔１５に螺合し、ビスねじ３０の頭部３２は、ビスねじ挿入孔２５の大径孔２６内に位置し、軸部３３は小径孔２７内に位置している。
図１、図８において、４０はロックピン２０の先端とロック部材組込穴１４の最奥端面１４ａ間に挿入されるコイルばねであって、前記ロックピン２０に対して押し出し方向の力を賦勢する。
以上に説明したロックピン２０、ビスねじ３０、コイルばね４０でロック部材を構成している。
【００１５】
図８（Ａ）〜（Ｃ）及び図９（Ａ）〜（Ｃ）に基づいてハンドルロックの説明を行う。先ず、ロックピン２０は、ロック部材組込穴１４内にビスねじ３０を用いて出入り自在に組み込まれていて、ハンドル１０を全閉にした位置が（Ａ）である。この状態のとき、ロックピン２０は、コイルばね４０により、ビスねじ３０の頭部３２が大径孔２６の壁に当るまで押し出されていて、このとき、ハンドル１０は全閉の位置にあり、ロックピン２０のねじ部２４はガス栓本体１側のロック溝９又は９ａ内に入り込み、閉栓ロックの状態となる。
【００１６】
次にこの閉栓ロック状態からハンドル１０を廻して開栓を行う場合は、ロック部材組込穴１４の後端の入口から突出しているロックピン２０の後端部２０ａを指で押し込むと、ロックピン２０の小径部２３が下段半径縁７を跨ぐ位置となり（Ｂ）、この結果ハンドル１０は開方向に９０°回転することができる。
【００１７】
次に、ハンドル１０を封印ロックする場合には、（Ａ）に示した閉の状態にハンドル１０を戻し、次にロックピン組込穴１４の入口からロックピン２０の後端に形成した係合部２１に図１５（Ａ）（Ｂ）に示す専用工具１００を当てて、ロックピン２０を回転し、雄ねじ部２４をロック部材組込穴１４側の内径ねじ１６にねじ込む（Ｃ）。このようにすると、コイルばね４０が圧縮され、更にロック溝９又は９ａにおいて、ロックピン２０の大径部２２がロック溝９又は９ａ内に位置するため、ハンドル１０は一切回転することができなくなる。図１５において、１０１は専用工具１００に形成した回転爪、１０２はガイドである。
この状態は封印ロックの状態であり、長期間ガスの使用を中止する場合にこの封印ロックが行われる。
【００１８】
封印ロックを解除する場合には、専用工具１００を用いてロックピン２０を先程とは逆方向に回転すると、雄ねじ部２４が内径ねじ１６から外れるため、ロックピン２０はコイルばね４０の力でビスねじ３０の頭部３２で止めらるまで飛び出す。この位置が図８、図９（Ａ）の位置、つまり閉栓ロックの位置である。
【実施例２】
【００１９】
本実施例２は、請求項３に記載のキーロック方式のガス栓に関するもので、図１０〜図１３に基づいて詳細に説明する。但し、このキーロック方式において、ガス栓本体１の構成は実施例１と同一である。したがって、図１０〜図１３において、同一の符号は実施例１と同一部を示し、同一構成のため、ここでの説明は省略する。又、ハンドル１０において、同一符号も実施例１と同一構成につき、この同一符号の説明は省略する。
【００２０】
図１０にキーロック方式のガス栓を示し、図１１にロックピン組込穴５０を示す。このロックピン組込穴５０は、ハンドル１０において把手１０ａの下部から胴体部１１の中心方向に向けて形成され、先端にねじ孔５１が形成され、中間部に内径ねじ５２が形成され、入口側に前記内径ねじ５２の谷より大径のスライド孔５３が形成され、前記内径ねじ５２の奥に切欠きからなる開口部５４が形成された構成である。
【００２１】
６０はロックピンであって、このロックピン６０は、図１２（Ａ）（Ｂ）、図１７（Ａ）（Ｂ）に示すように、外周面には前記内径ねじ５２に螺合する外径ねじ６１が形成され、内部にビスねじ挿入孔６２が形成され、この挿入孔６２の入口には専用工具係合部６３を形成した大径孔６４とこの大径孔６４から先端側に突き抜ける小径孔６５が形成された構成である。
７０はビスねじであって、前記ロックピン６０の大径孔６４から小径孔６５を介してロックピン６０の前方に突出していて、頭部７１はロックピン６０の大径孔６４内に位置している。
【００２２】
図１３は、このキーロック方式のロック解除（Ａ）及び封印ロック（Ｂ）を示すもので、ロックピン６０は、ロック部材組込穴５０内において、ビスねじ７０で止められていて、ロックピン６０の外径ねじ６１を内径ねじ５２から外した状態が図１２の（Ａ）であって、ロックピン６０の先端６０ａが下段半径縁７から外側に外れ、自由に回転、つまりハンドル１０を開方向に回転することができる。
次に封印ロックを行う場合には、（Ｂ）に示すように、ハンドル１０を閉の位置に回転し、次に図１５に示す専用工具１００を用いてロックピン６０を回転し、外径ねじ６１を内径ねじ５２にねじ込む。このようにすると、ロックピン６０の先端６０ａがロック溝９又は９ａ内に入り、ロックされる。この結果、専用工具１００を用いない限り、封印ロックを解除することはできなくなる。
【実施例３】
【００２３】
本実施例３は、ロック部材組込穴１４の入口に塗膜切り隙間１８を形成したときの作用効果に関するもので、図１４（Ａ）（Ｂ）に示すように、家屋の外壁塗装やガス栓を配管に取り付けたのち、この配管ごと塗料ａをハケ塗りしたときに、塗料ａがロックピン２０の後端部２０ａに付着し、そのまま固ると、ロックピン２０の動作に支障を来す。（Ａ）の場合は、ロックピン２０の露出した後端部２０ａに塗膜は形成されるが、塗膜切り隙間１８で塗膜は切られ、隙間１８間で塗膜が固着することはない。又は仮に隙間１８内に塗料が入っても、これは微量のため、ロックピン２０を何度か押しを繰り返すことにより、塗膜は剥離し正常に復帰する。（Ｂ）の場合は、ロックピン２０の後端部２０ａとハンドル１０のロックピン挿入穴１４の周囲に塗膜が形成されても、隙間１８間には形成されないため、塗膜が固着してロックピン２０の操作が出来なくなると云うことがない例である。
【実施例４】
【００２４】
本実施例４は、図１６及び図１７に示すように、ハンドル１０側のロック部材組込穴７０の入口側に内径ねじ７１を形成し、組込穴７０の先端７０ａ側の下半を切欠して開口部７２を形成し、ロックピン８０の外径ねじ８１を前記内径ねじ７１に螺合させ、このロックピン８０の先端８３を下段半径縁７の外周に臨ませハンドル１０を１８０°回転したときに上段半径縁６に当って止る所謂１８０開閉用のストッパねじとしてロックピン８０を用いた例である。図１８は、ロック部材組込穴７０内に内径ねじ７１を形成し、（Ａ）に示すように、ロックピン８０を１８０°回転のストッパーとして、あるいは（Ｂ）に示すように、閉栓ロックとして用いたガス栓の例である。
【図面の簡単な説明】
【００２５】
【図１】実施例１の押しボタン方式ガス栓の縦断説明図
【図２】図１の一部切欠右側図面
【図３】ガス栓本体の平面図
【図４】図３の正面図
【図５】図３の右側面図
【図６】ハンドルに形成したロック部材組込穴の説明図
【図７】ロック部材の説明図
【図８】及び
【図９】（Ａ）は閉栓ロックの説明図、（Ｂ）はロック解除の説明図、（Ｃ）は封印ロックの説明図である。
【図１０】キーロック方式のガス栓の説明図
【図１１】キーロック方式のハンドル側のロック部材組込穴の説明図
【図１２】ロック部材の説明図
【図１３】（Ａ）はロック解除の説明図、（Ｂ）は封印ロックの説明図
【図１４】（Ａ）閉栓ロック時における塗膜の説明図  （Ｂ）開栓時に塗料溜りで塗膜が切れた状態の説明図
【図１５】（Ａ）は専用工具の側面図、（Ｂ）は専用工具の正面図
【符号の説明】
【００２６】
１  ガス栓本体
６  上段半径縁
７  下段半径縁
９、９ａ  ロック溝
１０  ハンドル
１４  ロック部材組込穴
２０  ロックピン
３０  ビスねじ
４０  コイルばね
６０  ロックピン
【図１】
2005048870.tif 000003
【図２】
2005048870.tif 000004
【図３】
2005048870.tif 000005
【図４】
2005048870.tif 000006
【図５】
2005048870.tif 000007
【図６】
2005048870.tif 000008
【図７】
2005048870.tif 000009
【図８】
2005048870.tif 000010
【図９】
2005048870.tif 000011
【図１０】
2005048870.tif 000012
【図１１】
2005048870.tif 000013
【図１２】
2005048870.tif 000014
【図１３】
2005048870.tif 000015
【図１４】
2005048870.tif 000016
【図１５】
2005048870.tif 000017
【手続補正書】
【提出日】平成15年7月31日(2003.7.31)
【手続補正１】
【補正対象書類名】明細書
【補正対象項目名】０００３
【補正方法】変更
【補正の内容】
【０００３】
上記した、特許文献１、２において共通する問題点は、ガス栓本体の栓組込口に形成された上段半径縁及び下段半径縁の構成が、押しボタンロック方式（特許文献２）とキーロック方式（特許文献１）とによって相違している点である。
例えば、押しボタンロック方式における下段半径縁の内径は、上記半径縁の内径よりも大きく加工してある。一方、キーロック方式における下段半径縁の内径と上段半径縁の内径は同一半径に加工してある。
【手続補正２】
【補正対象書類名】明細書
【補正対象項目名】００２１
【補正方法】変更
【補正の内容】
【００２１】
６０はロックピンであって、このロックピン６０は、図１２（Ａ）（Ｂ）に示すように、外周面には前記内径ねじ５２に螺合する外径ねじ６１が形成され、内部にビスねじ挿入孔６２が形成され、この挿入孔６２の入口には専用工具係合部６３を形成した大径孔６４とこの大径孔６４から先端側に突き抜ける小径孔６５が形成された構成である。
７０はビスねじであって、前記ロックピン６０の大径孔６４から小径孔６５を介してロックピン６０の前方に突出していて、頭部７１はロックピン６０の大径孔６４内に位置している。
【手続補正３】
【補正対象書類名】明細書
【補正対象項目名】００２４
【補正方法】削除
【補正の内容】
【手続補正４】
【補正対象書類名】図面
【補正対象項目名】図１４
【補正方法】変更
【補正の内容】
【図１４】
2005048870.tif 000018